(57)【特許請求の範囲】
【請求項１】
短辺と長辺とを有し、正規の挿抜面が長辺側であるカード状の記憶媒体に重ねて固定され、前記記憶媒体の挿入方向の誤りを防止する記憶媒体の誤挿入防止部材において、
カード状に形成されたベース部と、
前記記憶媒体に前記ベース部が固定されたときに、前記記憶媒体の短辺に沿う方向での前記記憶媒体及び前記ベース部の全体の長さは、前記記憶媒体が挿抜されるコネクタの挿抜口の幅よりも長くなるように、前記記憶媒体に対する前記ベース部の固定位置を規定する位置決め部とを備えている、ことを特徴とする記憶媒体の誤挿入防止部材。
【請求項２】
前記記憶媒体に前記ベース部を固定したときの合計の厚みは、前記挿抜口の高さよりも小さい、ことを特徴とする請求項１に記載の記憶媒体の誤挿入防止部材。
【請求項３】
前記記憶媒体に前記ベース部を固定したときの、前記記憶媒体の長辺に沿う方向での前記ベース部の長さは、前記記憶媒体の長辺の長さよりも短い、ことを特徴とする請求項１又は２に記載の記憶媒体の誤挿入防止部材。
【請求項４】
前記記憶媒体に固定されたときに前記記憶媒体の外側へ突出した突出部を備えている、ことを特徴とする請求項１乃至３の何れかに記載の記憶媒体の誤挿入防止部材。
【請求項５】
前記突出部は、前記挿抜口への挿入時に前記挿抜口から露出される、ことを特徴とする請求項４に記載の記憶媒体の誤挿入防止部材。
【請求項６】
適正な装着位置で該誤挿入防止部材をロックするロック機構と係合する係止部を備えている、ことを特徴とする請求項１乃至５の何れかに記載の記憶媒体の誤挿入防止部材。
【請求項７】
導光性を有している、ことを特徴とする請求項１乃至６の何れかに記載の記憶媒体の誤挿入防止部材。
【請求項８】
請求項１乃至７の何れかに記載の記憶媒体の誤挿入防止部材と、
短辺と長辺とを有し正規の挿抜面が長辺側であるカード状の記憶媒体とを備えた、記憶媒体の誤挿入防止システム。
【請求項９】
請求項６に記載の記憶媒体の誤挿入防止部材と、
適正な装着位置で前記誤挿入防止部材をロックするロック機構を有した外部機器とを備えた、記憶媒体の誤挿入防止システム。
【請求項１０】
請求項７に記載の記憶媒体の誤挿入防止部材と、
前記誤挿入防止部材を装着した状態で前記誤挿入防止部材に向けて発光する発光部を備えた外部機器とを備えた、記憶媒体の誤挿入防止システム。
【請求項１１】
短辺と長辺とを有し正規の挿抜面が長辺側であるカード状の記憶媒体に、前記記憶媒体の挿入方向の誤りを防止する記憶媒体の誤挿入防止部材を固定する固定方法であって、
前記記憶媒体の短辺に沿う方向での前記記憶媒体及び誤挿入防止部材の全体の長さは、前記記憶媒体が挿抜されるコネクタの挿抜口の幅よりも長くなるように、前記記憶媒体に前記誤挿入防止部材を固定する、ことを特徴とする記憶媒体の誤挿入防止部材を固定する固定方法。
【発明の詳細な説明】
【技術分野】
【０００１】
本発明は、記憶媒体の誤挿入防止部材、記憶媒体の誤挿入防止システム及び記憶媒体の誤挿入防止部材の固定方法に関する。
【背景技術】
【０００２】
従来から、カード状の記憶媒体の誤挿入を防止するための技術が知られている（特許文献１乃至６参照）。記憶媒体が誤挿入されると、コネクタ側の端子部などが破損する恐れがあるからである。
【０００３】
【特許文献１】特開２００５‐１１６２４０号公報
【特許文献２】特開平７‐０８９２８２号公報
【特許文献３】特開２００２‐２１６９０５号公報
【特許文献４】特開２００４‐０５５３１８号公報
【特許文献５】特開２００５‐２８５６８７号公報
【特許文献６】特開２００６‐３１３６７７号公報
【発明の開示】
【発明が解決しようとする課題】
【０００４】
このような記憶媒体の誤挿入を防止する技術としては、できるだけ簡易であり、かつ製造コストが低いものが望ましい。
【０００５】
本発明はこのような問題点に鑑みてなされたものであり、簡易な構造であり製造コストも抑制された、記憶媒体の誤挿入防止部材、記憶媒体の誤挿入防止システム及び記憶媒体の誤挿入防止部材の固定方法を提供することを目的とする。
【課題を解決するための手段】
【０００６】
上記目的は、短辺と長辺とを有し、正規の挿抜面が長辺側であるカード状の記憶媒体に重ねて固定され、前記記憶媒体の挿入方向の誤りを防止する記憶媒体の誤挿入防止部材において、カード状に形成されたベース部と、前記記憶媒体に前記ベース部が固定されたときに、前記記憶媒体の短辺に沿う方向での前記記憶媒体及びベース部の全体の長さは、前記記憶媒体が挿抜されるコネクタの挿抜口の幅よりも長くなるように、前記記憶媒体に対する前記ベース部の固定位置を規定する位置決め部とを備えている、ことを特徴とする記憶媒体の誤挿入防止部材によって達成できる。
【０００７】
これにより、カード状の部材を記憶媒体に貼り付けるだけで、記憶媒体の挿入方向の誤りを防止することができるので、簡易な構造であり製造コストも抑制できる。
【０００８】
上記構成において、前記記憶媒体に前記ベース部を固定したときの合計の厚みは、前記挿抜口の高さよりも小さい、構成を採用できる。これにより、記憶媒体と誤挿入防止部材とを一体に挿抜され得る。
【０００９】
上記構成において、前記記憶媒体に前記ベース部を固定したときの、前記記憶媒体の長辺に沿う方向での前記ベース部の長さは、前記記憶媒体の長辺の長さよりも短い、構成を採用できる。これにより、記憶媒体と誤挿入防止部材とを一体に挿抜され得る。
【００１０】
上記構成において、前記記憶媒体に固定されたときに前記記憶媒体の外側へ突出した突出部を備えている、構成を採用できる。ユーザは、突出部を掴むことにより、記憶媒体の取り扱いが容易となり、挿抜も容易となる。
【００１１】
上記構成において、前記突出部は、前記挿抜口への挿入時に前記挿抜口から露出される、構成を採用できる。挿入時に突出部が挿抜口から露出されることにより、挿抜口から記憶媒体を抜き出す作業が容易になる。また、突出部にラベル又は文字などを記載することにより、記憶媒体が挿入された状態で、その種類の判別をすることができる。
【００１２】
上記構成において、適正な装着位置で該誤挿入防止部材をロックするロック機構と係合する係止部を備えている、構成を採用できる。これにより、適切な位置で記憶媒体をロックすることができる。従って、記憶媒体の読み取りエラーを防止できる。
【００１３】
上記構成において、導光性を有している、構成を採用できる。
【００１４】
また、上記目的は、上記に記載の記憶媒体の誤挿入防止部材と、短辺と長辺とを有し正規の挿抜面が長辺側であるカード状の記憶媒体とを備えた、記憶媒体の誤挿入防止システムによっても達成できる。
【００１５】
また、上記に記載の記憶媒体の誤挿入防止部材と、適正な装着位置で前記誤挿入防止部材をロックするロック機構を有した外部機器とを備えた、記憶媒体の誤挿入防止システムによって、記憶媒体を適切な位置でロックできる。
【００１６】
また、上記に記載の記憶媒体の誤挿入防止部材と、前記誤挿入防止部材を装着した状態で前記誤挿入防止部材に向けて発光する発光部を備えた外部機器とを備えた、記憶媒体の誤挿入防止システムによって、発光部からの光が誤挿入防止部材によって導光され、装着状態における誤挿入防止部材の位置の把握が容易となる。
【００１７】
また、上記目的は、短辺と長辺とを有し正規の挿抜面が長辺側であるカード状の記憶媒体に、前記記憶媒体の挿入方向の誤りを防止する記憶媒体の誤挿入防止部材を固定する固定方法であって、前記記憶媒体の短辺に沿う方向での前記記憶媒体及び誤挿入防止部材の全体の長さは、前記記憶媒体が挿抜されるコネクタの挿抜口の幅よりも長くなるように、前記記憶媒体に前記誤挿入防止部材を固定する、ことを特徴とする記憶媒体の誤挿入防止部材を固定する固定方法によっても達成できる。
【発明の効果】
【００１８】
簡易な構造であり製造コストも抑制された、記憶媒体の誤挿入防止部材、記憶媒体の誤挿入防止システム及び記憶媒体の誤挿入防止部材の固定方法を提供できる。
【発明を実施するための最良の形態】
【００１９】
以下、本発明の実施の形態について、図面を参照して具体的に説明する。
【００２０】
図１は、記憶媒体の誤挿入防止部材が記憶媒体に固定された状態での両者の斜視図である。誤挿入防止部材であるガイドプレート２０は、カード状の記憶媒体であるコンパクトフラッシュ（登録商標）カード（以下、ＣＦカードと称する）１０の所定面に固定されている。ガイドプレート２０について説明する前に、ＣＦカード１０について簡単に説明する。
【００２１】
ＣＦカードには、タイプ１とタイプ２の２種類が存在する。これらは長辺及び短辺の長さは一致する（３６．４mm×４２．８mm）であるが、厚みが異なる。タイプ１の厚さは３．３mmであり、タイプ２の厚さは５mmである。一般的にＣＦカードとして採用される形状はタイプ１であり、タイプ２はあまり使用されないのが現状である。現在のところタイプ２の形状で採用されているメモリーカードの代表として、マイクロドライブ（コンパクトフラッシュ（登録商標）形状のＨＤＤ（Hard Disk Drive））がある。
【００２２】
また、ＣＦカードの利用される状況として、ＣＦカード自体が完全に機器に収納されるという状況は減少しつつある。その理由として、ＣＦカードのコネクタの挿抜口自体を汎用インターフェースとして利用することが一般的となり、無線ＬＡＮや通信機器などの通信カードが市場に多く流通され一般化されているからである。これらの通信カードは、一般的にカードの規格より長さが大きくなっている場合が多い。従って、ＣＦカードを実装する機器がＣＦカードを完全に収納してしまうと、通信カードのようなカードは一切使用できなくなる。
【００２３】
以上の理由からＣＦカードの主流はタイプ１の形状であること、一般的にはＣＦカードの挿抜方向が自由に設定できることを利用して、ＣＦカードの誤挿入防止するためのガイドプレート２０が創出された。
【００２４】
ＣＦカード１０は、タイプ１である。ＣＦカード１０は、短辺１５ａ１、１５ａ２、長辺１５ｂ１、１５ｂ２を有した矩形状（カード状）に形成されている。短辺１５ａ１、１５ａ２には、それぞれ溝部１３が形成されている。また、ＣＦカード１０は、表面１１ａ、裏面１１ｂを有し、裏面１１ｂには長辺１５ｂ１に沿うように突出した突起部１２が形成されている。長辺１５ｂ２には、図示しないが端子部が形成されている。
【００２５】
ガイドプレート２０は、ＣＦカード１０の表面１１ａに粘着テープにより固定されている。ガイドプレート２０は、ベース部２１と、位置決め部２２と、突出部２３と、切欠部２４とを有している。また、ガイドプレート２０は、側面２５ａ１、２５ａ２、２５ｂ１、２５ｂ２を有した矩形状（カード状）に形成されている。側面２５ａ１、２５ａ２は平行であり、側面２５ｂ１、２５ｂ２も同様に平行である。また、ベース部２１は、表面２１ａ、裏面２１ｂを有し、位置決め部２２は、側面２５ｂ１、２５ｂ２と平行に裏面２１ｂ側に形成されている。裏面２１ｂと裏面１１ｂとが対向するようにして、ガイドプレート２０はＣＦカード１０に固定されている。また、突出部２３は、ＣＦカード１０に対してガイドプレート２０が固定されたときにＣＦカード１０の引き抜く側に突出している。突出部２３の角部は、縁取りされている。切欠部２４は、側面２５ａ２に形成されている。
【００２６】
ガイドプレート２０は、位置決め部２２と、突起部１２が形成されている長辺１５ｂ１とが接触するようにしてＣＦカード１０に固定されている。即ち、位置決め部２２は、ＣＦカード１０に対するガイドプレート２０の固定位置及び方向を規定する位置決め部として機能する。尚、ユーザは、ＣＦカード１０とは別体に形成されたガイドプレート２０を、位置決め部２２と突起部１２とを基準にして、ＣＦカード１０に対して所定の位置にガイドプレート２０を固定する。また、位置決め部２２は、ＣＦカード１０の接続端子が設けられていない側となる長辺１５ｂ１に接触している。このため、ＣＦカード１０を外部機器へ挿入する際には、ガイドプレート２０からの挿入力を確実にＣＦカード１０へ伝達することができ、ＣＦカード１０とガイドプレート２０とを固定している粘着テープへの負荷を軽減できる。
【００２７】
ガイドプレート２０は、短辺１５ａ１、１５ａ２と、側面２５ａ１、２５ａ２とが沿うようにし、長辺１５ｂ１、１５ｂ２と、側面２５ｂ１、２５ｂ２とが沿うようにして、ＣＦカード１０に対してガイドプレート２０が固定されている。ＣＦカード１０に対してガイドプレート２０を固定したときの、両者の合計の厚みは、タイプ２のＣＦカードと同等である。尚、両者の合計の厚みを、タイプ２のＣＦカードの厚みよりも薄くなるようにガイドプレート２０を成形してもよい。また、ベース部２１が、ＣＦカード１０の全体を覆うように固定されているのは、接着面積を確保するためである。
【００２８】
次に、ガイドプレート２０が固定されたＣＦカード１０を、外部機器へ挿入する際の状態について説明する。図２乃至図４は、ガイドプレート２０が固定されたＣＦカード１０を外部機器へ挿入する際の様子を示した説明図である。尚、図２乃至図４には、外部機器が内蔵するコネクタ３０と、コネクタ３０が実装された基板４０のみを示している。図５は、外部機器に形成された挿抜口の説明図である。図５には、コネクタ３０の挿抜口Ｓを破線で示している。尚、図２乃至図４においては、挿抜口Ｓについては省略してある。挿抜口Ｓは、外部機器５０の筐体に形成され、幅Ｗと、幅Ｗよりも長さの短い高さＨとを有した矩形状に形成されている。尚、コネクタ３０は、一般的に流通している機器に搭載されているものであり、ＣＦカードのタイプ１及びタイプ２の両者を挿抜可能なものである。
【００２９】
コネクタ３０は、図２乃至図４に示すように、本体部３１と、本体部３１の両端部から本体部３１に対して垂直方向に伸びた一対のガイドレール３２とを有しており、コ字状に形成されている。本体部３１には、図示していないが、ＣＦカード１０の端子部と電気的に接続される端子部が配置されている。また、コネクタ３０は、上面に切欠部３３が形成されている。この切欠部３３は、タイプ１のみならずタイプ２のＣＦカードの挿抜をも可能にするために設けられたものである。また、挿抜口Ｓの高さＨも、タイプ２のＣＦカードの挿抜を可能な高さに設定されている。図２に示すように、長辺１５ｂ２、側面２５ｂ２が挿抜口Ｓに先に挿入される挿抜面となるようにして、ＣＦカード１０及びガイドプレート２０をコネクタ３０へと挿入する。図３に示すように、ＣＦカード１０及びガイドプレート２０がコネクタ３０へ挿入されると、一対のガイドレール３２は、それぞれ短辺１５ａ１、１５ａ２と摺接して、ＣＦカード１０の挿入を案内する。また、この際に、ガイドプレート２０は、切欠部３３によってコネクタ３０との干渉が防止される。長辺１５ｂ２、側面２５ｂ２側が、ＣＦカード１０及びガイドプレート２０の正規な挿抜面となる。
【００３０】
図４に示すように、ＣＦカード１０及びガイドプレート２０を、コネクタ３０の奥まで挿入すると、長辺１５ｂ２、本体部３１のそれぞれに形成された端子部が電気的に接続される。一方、コネクタ３０からＣＦカード１０及びガイドプレート２０を抜くときは、ユーザは、突出部２３を手で掴んで、外部機器５０の手前側に引くことにより、図４に示した状態から、図３、図２に示した状態へと移行して、コネクタ３０から、ＣＦカード１０及びガイドプレート２０を抜くことができる。このようにして、ＣＦカード１０の挿抜が可能となる。
【００３１】
図６は、短辺１５ａ１を挿抜面としてコネクタ３０に挿入しようとする際の説明図である。図５に示すように、ＣＦカード１０にガイドプレート２０が固定されたときの、短辺１５ａ１、１５ａ２に沿う方向での、ＣＦカード１０及びガイドプレート２０全体の長さＬａが、一対のガイドレール３２間の距離Ｍよりも、長い。このため、短辺１５ａ１、側面２５ａ１を挿抜面として、挿入しようとした場合には、ガイドレール３２に、ＣＦカード１０又はガイドプレート２０が接触して、挿入することができない。換言すれば、ＣＦカード１０及びガイドプレート２０の全体の長さＬａは、挿抜口Ｓの幅Ｗよりも長いので、挿入できない。これにより、ＣＦカード１０の挿入方向の誤りが防止される。このように、簡易な構造であるガイドプレート２０をＣＦカード１０に対して所定の位置で固定するだけで、ＣＦカード１０の誤挿入を防止できる。またガイドプレート２０の製造コストも抑制される。また、外部機器側の構造を変更することなく、ＣＦカード１０の誤挿入を防止できる。
【００３２】
また、上述したように、ＣＦカード１０の誤挿入が防止されるように、ベース部２１の寸法、形状、ベース部２１に対する位置決め部２２の位置などが設定されている。
【００３３】
尚、側面２５ａ１、２５ａ２の長さＬ２は、短辺１５ａ１、１５ａ２の長さＬ１よりも長く形成されているが、ガイドプレート２０はこのような形状に限定されず、例えば、長さＬ２の長さが、長さＬ１よりも短い場合であっても、全体の長さＬａが、挿抜口Ｓの幅Ｗよりも長ければよい。
【００３４】
また、側面２５ｂ１、２５ｂ２の長さＤ２は、長辺１５ｂ１、１５ｂ２の長さＤ１よりも短く形成されている。また、長辺１５ｂ１、１５ｂ２に沿う方向での、ＣＦカード１０及びガイドプレート２０全体の長さは、長さＤ１に一致する。換言すれば、ガイドプレート２０は、長辺１５ｂ１、１５ｂ２に沿う方向での幅内に固定されている。従って、長辺１５ｂ２、側面２５ｂ２を挿抜面として挿入する際には、挿抜口Ｓの幅Ｗ内に、長辺１５ｂ１、１５ｂ２に沿う方向での、ＣＦカード１０及びガイドプレート２０全体の長さが収まるので、挿入が可能となる。
【００３５】
次に、裏面１１ｂを上面側として、挿抜口Ｓに挿入しようとした場合について説明する。図７は、裏面１１ｂを上面側として挿抜口Ｓに挿入しようとする際の説明図である。図７に示すように、裏面１１ｂを上面側として挿入しようとすると、ガイドプレート２０が基板４０に接触するため、ＣＦカード１０の挿入は防止される。又は、挿抜口Ｓに図７に示した状態でＣＦカード１０及びガイドプレート２０を挿入しようとすると、ＣＦカード１０は、ガイドレール３２と接触して、挿入することはできない。このようにして、裏面１１ｂを上面側とした誤挿入についても防止される。
【００３６】
次に、突出部２３について説明する。図８は、突出部２３の説明図である。図８に示すように、ユーザは、突出部２３を掴むことにより、小型であるＣＦカード１０の取り扱いが容易となる。これにより、ＣＦカード１０の挿抜が容易となる。また、外部機器５０に、ガイドプレート２０が固定されたＣＦカード１０を装着させると、突出部２３が外部機器５０の挿抜口Ｓから露出されるため、この部分にユーザが、ＣＦカード１０の種類を判別するための文字又はラベルなどを貼り付けることにより、ＣＦカード１０が装着された状態で、ＣＦカード１０の種類を判別することが可能となる。
【００３７】
次に、切欠部２４について説明する。図９及び図１０は、切欠部２４の説明図である。外部機器５０ａは、前述したコネクタ３０と共に、ロック機構６０を有している。ロック機構６０は、適切な装着位置でガイドプレート２０をロックするための機構である。ロック機構６０は、操作部６１と、ストッパ６４とを有している。操作部６１及びストッパ６４は一体に形成されている。ストッパ６４の先端は円弧状に形成され、図９に示すように、ガイドプレート２０の挿入時には、側面２５ａ２と摺接する。また、ロック機構６０は、不図示のばねによって、ガイドプレート２０の挿入時に、ストッパ６４が側面２５ａ２を押圧するように付勢されている。図９に示した状態から、ＣＦカード１０及びガイドプレート２０が更に挿入されて、ＣＦカード１０と外部機器との電気的な接続が確保される適正な装着位置まで挿入されると、図１０に示すように、切欠部２４は、ストッパ６４と対向する位置にまで移動し、ストッパ６４は、ばねの付勢力によって、切欠部２４と係合する。これにより、ガイドプレート２０は、適正な装着位置でロックされる。これにより、ＣＦカード１０の読み取りエラーなどを防止できる。従って、切欠部２４は、係止部に相当する。
【００３８】
尚、図１０に示した状態から、ＣＦカード１０及びガイドプレート２０を抜く際には、ユーザは、ばねの付勢力に反するように操作部６１を操作することにより、切欠部２４からストッパ６４を脱離させ、そして突出部２３を引き抜くことにより、ＣＦカード１０及びガイドプレート２０を抜くことができる。
【００３９】
次に、ガイドプレート２０が導光性について説明する。ガイドプレート２０は、透明であって導光性を有したポリカーボネート樹脂によって成形されている。このような導光性を有したガイドプレート２０に対して、ガイドプレート２０に向けて発光する発光部を備えた外部機器について説明する。図１１は、ＬＥＤ（Light Emitting Diode）７０を備えた外部機器の説明図である。尚、図１１は、ＣＦカード１０を装着した状態での外部機器を一部切り欠いた図である。
【００４０】
図１１に示すように、外部機器５０ｂは、裏面１１ｂを上面側として装着可能に構成されている。ＬＥＤ７０は、基板４０ａに実装されている。ＬＥＤ７０は、発光部に相当する。ＬＥＤ７０は、コネクタ３０に囲まれた部分に実装されている。ＣＦカード１０及びガイドプレート２０が挿入された状態では、ＬＥＤ７０は、ガイドプレート２０と対向する。ＬＥＤ７０は、バッテリ７１から電力の供給を受けて発光する。ガイドプレート２０と対向した状態でＬＥＤ７０が発光することにより、その光はガイドプレート２０によって導光される。これにより、ガイドプレート２０全体が発光し、ユーザは、挿抜口から露出したガイドプレート２０の部分の発光を視認できる。これにより、例えば暗闇でもガイドプレート２０の位置を容易に把握することができ、ＣＦカード１０が固定されたガイドプレート２０を挿抜口から抜くことを容易に行うことができる。従って、外部機器５０ｂは、暗闇での環境下での使用に適している。
【００４１】
上述した実施形態は本発明の好適な実施の例である。但し、これに限定されるものではなく、本発明の要旨を逸脱しない範囲内において種々変形実施可能である。
【図面の簡単な説明】
【００４２】
【図１】ガイドプレートが記憶媒体に固定された状態での両者の斜視図である。
【図２】ガイドプレートが固定された記憶媒体を外部機器へ挿入する際の様子を示した説明図である。
【図３】ガイドプレートが固定された記憶媒体を外部機器へ挿入する際の様子を示した説明図である。
【図４】ガイドプレートが固定された記憶媒体を外部機器へ挿入する際の様子を示した説明図である。
【図５】外部機器に形成された挿抜口の説明図である。
【図６】短辺を挿抜面としてコネクタに挿入しようとする際の説明図である。
【図７】裏面を上面側として挿抜口に挿入しようとする際の説明図である。
【図８】突出部の説明図である。
【図９】切欠部の説明図である。
【図１０】切欠部の説明図である。
【図１１】記憶媒体を装着した状態での外部機器を一部切り欠いた図である。
【符号の説明】
【００４３】
１０  ＣＦカード（記憶媒体）
１１ａ  （記憶媒体の）表面
１１ｂ  （記憶媒体の）裏面
１２  突起部
１３  溝部
１５ａ１、１５ａ２  （記憶媒体の）短辺
１５ｂ１、１５ｂ２  （記憶媒体の）長辺
２０  ガイドプレート（誤挿入防止部材）
２１  ベース部
２１ａ  （ガイドプレートの）表面
２１ｂ  （ガイドプレートの）裏面
２２  位置決め部
２３  突出部
２４  切欠部
２５ａ１、２５ａ２、２５ｂ１、２５ｂ２  側面
３０  コネクタ
３１  本体部
３２  ガイドレール
３３  切欠部
４０、４０ａ  基板
５０、５０ａ、５０ｂ  外部機器
６０  ロック機構
６１  操作部
６４  ストッパ
７０  ＬＥＤ（発光部）
７１  バッテリ
【図１】
0004726922.tif 000002
【図２】
0004726922.tif 000003
【図３】
0004726922.tif 000004
【図４】
0004726922.tif 000005
【図５】
0004726922.tif 000006
【図６】
0004726922.tif 000007
【図７】
0004726922.tif 000008
【図８】
0004726922.tif 000009
【図９】
0004726922.tif 000010
【図１０】
0004726922.tif 000011
【図１１】
0004726922.tif 000012